(57)【要約】【課題】ケーブルの立上げ支持を簡素化する電柱用ケーブル支持金物、及び電柱への取付け、取外しを簡易化する取付バンドを提供する。【解決手段】電柱用立上ケーブル支持金物１は、電柱Ｐに略水平に取付けられる支持腕金２と、該支持腕金に対し同一平面上で略直角に設けられてケーブルＣを立上支持する２つの横腕金３とを有する。好ましくは、支持腕金２と横腕金３とで略Ｔ字形又は略Ｆ字形に形成される。【選択図】図１
2007060769.tif 000002
【特許請求の範囲】
【請求項１】
電柱に略水平に取付けられる支持腕金と、該支持腕金に対し同一平面上で略直角に設けられてケーブルを立上支持する２つの横腕金とを有することを特徴とする電柱用立上ケーブル支持金物。
【請求項２】
前記支持腕金と横腕金とで略Ｔ字形又は略Ｆ字形に形成されたことを特徴とする請求項１記載の電柱用立上ケーブル支持金物。
【請求項３】
電柱にケーブルを立上支持する立上ケーブル支持金物を電柱に取り付けるための取付バンドであって、
円形に組合せ可能な一対の半円形のバンド部材を有し、該一対のバンド部材の隣接する一方の端部にて蝶番連結し、
一方のバンド部材の自由端部付近にナット付の締着ボルトを回動可能に設けると共に該バンド部材の中間部に前記支持腕金を固定する取付板を設け、
他方のバンド部材の自由端部にはスリット付の連結部片を設け、
前記一対のバンド部材を前記電柱の周囲に当接し、前記締着ボルトを回動して前記連結部片のスリット内に係合し、前記ナットで前記連結部片を締付けることにより、前記電柱に固定されることを特徴とする取付バンド。
【発明の詳細な説明】
【技術分野】
【０００１】
本発明は、電線やケーブルを架設する電柱の上部にケーブルを立上支持するために用いられる立上ケーブル支持金物、及びこれを電柱に取り付けるための取付バンドに関する。
【背景技術】
【０００２】
ケーブルを地中に埋設する工事では、電柱のところでケーブルが立ち上って支持され、通常の架空線としての電線に接続される。従来、電柱の上部でこのような立ち上がりケーブルを支持するための手段として、取付バンドによって電柱に水平に取り付けられるＬ字形の支持腕金と、その先端側で通常３本のケーブルを並列に支持する横腕金とから成る支持金物が用いられている。
【０００３】
また、電柱に装柱機器を支持する腕金を電柱に取付けるために用いる取付バンドの一例の電柱用バンドが、下記の特許文献１に示されている。この電柱用バンドは、蝶着された一対の半円弧状のバンド片の一方に、機器を支持する腕金等の支持材を設け、このバンド片の自由端側を折曲して切欠を有する緊締受片を設け、他方のバンド片の自由端側に緊締ボルトを設けてコイルばねで付勢し、緊締ボルトを緊締受片の切欠に係止させるようにして、電柱に取付けられる。従って、大きな力が緊締ボルトに加わると、緊締受片が耐えられずに変形したり、或いは壊れたりして、緊締ボルトが外れる等の問題がある。
【０００４】
【特許文献１】特許第３０１２４８９号公報
【発明の開示】
【発明が解決しようとする課題】
【０００５】
従来のＬ字形支持腕金は、３本の立上ケーブルを支持するように形成されているので、立上ケーブルが４本以上ある場合には、支持腕金が２個必要である。このため、架設されるケーブルの数が増加している近年は、支持腕金の数が増えて電柱の上部が混み合い、電柱工事の際には作業空間が狭くて柱上作業が困難であり、架空線とケーブルを繋ぐ作業にも支障を来たすという問題があった。
【０００６】
また、従来の立上ケーブル支持金物では、支持腕金を取付バンドによって電柱に取付けるため、取付バンドは、その一端が支持腕金の取付部にボルトで取付けられ、電柱の外周に沿って締め付けられるように延び、取付バンドの他端は支持腕金の別の取付部にボルトによって取付けられる。従って、このような取付バンドによる電柱への取付けは面倒で、取付バンドの締付けが弛み易く、支持腕金が傾いてしまうこと、及びボルトを外して解放状態の取付バンドを電柱に嵌めた後に再びボルトを取付けて締め付けなければならない等の問題があった。
【０００７】
本発明は、これらの問題点に鑑みてなされたものであり、その第１の目的は、従来のＬ字形支持腕金よりも多くの立上ケーブルを支持可能に構成することによってケーブルの立上げ支持部の構造を簡素化できる電柱用立上ケーブル支持金物を提供することである。
【０００８】
また、第２の目的は、本発明の支持金物或いは従来の支持金物であっても電柱への取付け又は電柱からの取外しを容易にする取付バンドを提供することである。
【課題を解決するための手段】
【０００９】
本発明の電柱用立上ケーブル支持金物は、電柱に略水平に取付けられる支持腕金と、該支持腕金に対し同一平面上で略直角に設けられてケーブルを立上支持する２つの横腕金とを有することを特徴とする。
【００１０】
好適な形態の立上ケーブル支持金物は、支持腕金と横腕金とで略Ｔ字形又は略Ｆ字形に形成される。
【００１１】
本発明の取付バンドは、電柱の周面に沿って円形に組合せ可能な一対の半円形のバンド部材を有し、一対のバンド部材の隣接する一方の端部にて蝶番連結し、一方のバンド部材の自由端部付近にナット付の締着ボルトを回動可能に設けると共にバンド部材の中間部に支持腕金を固定する取付板を設け、他方のバンド部材の自由端部にはスリット付の連結部片を設け、上記一対のバンド部材を電柱の周囲に当接し、締着ボルトを回動して連結部片のスリット内に係合し、ナットで連結部片を締付けることにより、電柱に固定されるものである。
【発明の効果】
【００１２】
本発明の電柱用立上ケーブル支持金物は、電柱に略水平に取付けられる支持腕金に対し同一平面上で略直角に設けた２つの横腕金にてケーブルを立上支持するので、従来のものより多数の立上ケーブルを支持できるとともに２つの横腕金で支持する構造は簡潔であり、電柱上部における架空線とケーブルとを繋ぐ接続作業も容易にできる。
【００１３】
本発明の取付バンドによれば、一対のバンド部材の一方に支持腕金を固定し、該一方のバンド部材の自由端部の締着ボルトを、他方のバンド部材の連結部片のスリットに係合させ、ナットで連結部片を締付けることで、電柱の周囲に取り付けるようにしたので、その取り付けはワンタッチで達成することができ、電柱への取付け作業が容易になる。また、電柱に取付けられた状態で一対のバンド部材の自由端部の連結を解除することも容易であるから、電柱からの取外しを容易にできる。
【発明を実施するための最良の形態】
【００１４】
実施例の電柱用立上ケーブル支持金物は、電柱に略水平に取付けられる支持腕金と、この支持腕金に対し同一平面上で略直角に設けられた横腕金とから略Ｔ字形に構成された第１の形態と、略Ｆ字形に構成された第２の形態とがある。
【００１５】
図１は、第１の形態の電柱用立上ケーブル支持金物を示す平面図で、この支持金物１は、電柱Ｐに取付けるための略水平な支持腕金２と、この支持腕金２の一端に直交して設けられた横腕金３とで、略Ｔ字形に形成されている。
【００１６】
支持腕金２は、後に詳しく説明される取付バンド２０によって電柱Ｐに略水平に取付けられて支持されており、一端に横腕金３が、例えば溶接して一体的に設けられていて、この横腕金３の外側に立上ケーブルＣが碍子のような絶縁部材（図示しない）によって略垂直な立上状態に取付けられている。図示では、横腕金３に３本ずつ計２組の立上ケーブルＣが、横方向に並んで取付けられている。
【００１７】
図２は、第２の形態の電柱用立上ケーブル支持金物を示す平面図で、この支持金物１０は、電柱Ｐに取付けるための略水平な支持腕金１２と、この支持腕金１２の一端に同一平面上で直角に、且つ平行して設けられた２つの横腕金１３、１４とから略Ｆ字形に形成されている。
【００１８】
支持腕金１２は、電柱Ｐに後述の取付バンド２０によって略水平に取付けられて支持されており、一端に２つの横腕金１３、１４が平行に、例えば溶接して一体的に設けられていて、横腕金１３の外側に第１の組の３本の立上ケーブルＣが碍子のような絶縁部材（図示しない）によって略垂直な立上状態に取付けられており、更に、横腕金１４の外側に第２の組の３本の立上ケーブルＣが碍子のような絶縁部材（図示しない）によって略垂直な立上状態に同じ様に取付けられている。
【００１９】
図３は、上記第１の形態の立上ケーブル支持金物１の支持腕金２、或いは第２の形態の立上ケーブル支持金物１０の支持腕金１２を、電柱Ｐに取付けるために用いる取付バンド２０を示す。この取付バンド２０は、一対のバンド部材２１ａ及び２１ｂで形成され、立上ケーブル支持金物が第１の形態、第２の形態のいずれでも共通に使用できるものである。なお、図３以降では、略Ｔ字形の支持腕金２又は略Ｆ字形の支持腕金１２について、電柱Ｐに取付けられる部分のみを図示する。
【００２０】
図４（Ａ）は、電柱Ｐに取付ける前又は電柱Ｐから取外した後の解放状態の取付バンド２０を示す平断面図、（Ｂ）は一方のバンド部材の自由端部の側面図、（Ｃ）は他方のバンド部材の自由端部の側面図である。
【００２１】
図３及び図４に示すように、取付バンド２０は、適宜なヒンジ部材２１ｃによって蝶番連結され且つ組合せた時に円形になる一対の半円形のバンド部材２１ａ、２１ｂを有しており、一方のバンド部材２１ａが、その略中ほどで、一対の直角三角形状の防傾部材７を有する取付板６に、例えば溶接等によって固着されている。従って、これら防傾部材７は、取付バンド２０による支持腕金２又は１２の電柱Ｐへの取付時に、支持腕金２又は１２に対する電柱Ｐへの取付け状態を安定した好適な接触状態に維持するように作用することを可能とするものである。
【００２２】
これによって、支持腕金２又は１２の電柱Ｐへの取付時に、支持腕金２又は１２が、取付座金３５と複数組の取付ボルト８とナット９とによって取付板６に取付けられて、支持腕金２又は１２と一緒に取付バンド２０が電柱Ｐにしっかりと取付けられて固定されるようになる。
【００２３】
取付板６は、適宜な金属板から平らな板状構造や、山形構造又は溝形構造の形状に適宜に折曲される等して形成され、中ほどに一対の断面略直角三角形状の防傾部材７が防傾金物として間隔を置いて設けられており、両端近くに取付ボルト８用の孔６ｃが穿けられている。
【００２４】
本実施例においては、図５及び図６に示すように、取付板６は、例えば、本体をなす平らな板状部材６ａを有しており、この板状部材６ａの一方の側に一対のフランジ部材６ｂが上下方向に間隔を置いて板状部材６ａから横水平方向に延出するように設けられている。更に、取付板６は、板状部材６ａの反対の側に、ほぼ中ほどに左右に間隔を置いて一対の防傾部材７が縦方向に延びるように配置されている。従って、取付板６は、本体をなす板状部材６ａの一方の側に、横方向の一対のフランジ部材６ｂと、板状部材６ａの反対側に、縦方向の一対の防傾部材７とが夫々溶接等によって一体的に固着されている。また、板状部材６ａの両端部の角部付近には、取付ボルト８のための孔６ｃが設けられている。
【００２５】
更に、このような取付板６は、一対の対向するフランジ部材６ｂの間に支持腕金２又は１２が装着できるように、フランジ部材６ｂ間の寸法を支持腕金２又は１２の寸法に対応して設定することが好ましい。
【００２６】
また、取付板６の板状部材６ａに取付けられる防傾部材７は、断面形状が直角三角形状に作られて、傾斜した側面が電柱Ｐの周面に面接触するように形成されるのが好適である。このために、防傾部材７は、傾斜面が互いに内側に、且つ向い合うように図示の如く配置されることが必要である。このような防傾部材７は、傾斜面が電柱Ｐの外周面に面接触することによって防傾部材７に対して作用する力を傾斜面で受けて分散して、力の集中による防傾部材７の破損を防止するように作用している。
【００２７】
もし、防傾部材７の頂部が電柱Ｐに当接するように配置されると、防傾部材７に作用する力が頂部に集中するようになるので、防傾部材７が破損し易くなってしまう。従って、これら防傾部材７は、断面が直角三角形状になるように形成されて、傾斜面が互いに向き合うように内側に位置されるように対向した状態に配置されている。
【００２８】
そして、支持腕金２又は１２の取付時には、取付板６の孔６ｃに取付ボルト８が差し込まれて支持腕金２又は１２の両側に、しかも支持腕金２又は１２を２つのフランジ部材６ｂの間に挟んで延びて締め付けることができるようになるので、取付座金３５を装着して、ナット９を取付ボルト８に螺着して支持腕金２又は１２に取付バンド２０が固着された取付板６が固着されるようになる。
【００２９】
なお、取付板６を１つの溝形鋼部材で形成して、取付ボルト８を、取付板６の溝形鋼部材と、支持腕金２又は１２との中央部分を貫通するようにして取付けることも可能である。
【００３０】
取付座金３５は、断面略コの字形の溝形鋼部材から作られて両側のフランジ部分に、支持腕金２又は１２と係合する切欠き３６が設けられており、取付板６の板状部材６ａの両端部付近において取付ボルト８を挿通するように垂直方向の位置に取付けられる。
【００３１】
こうして、支持腕金２又は１２にしっかりと固着された取付板６を、次いで電柱Ｐの周囲に当接するようにして取付けて、取付板６に取付けられている取付バンド２０を電柱Ｐに固定すれば、支持腕金２又は１２が電柱Ｐにしっかりと取付けられるようになる。
【００３２】
取付板６に取付けられている取付バンド２０は、組合せた時に円形となる一対の半円形のバンド部材２１ａ、２１ｂを有しており、これらバンド部材２１ａ、２１ｂの隣り合う一方の端部においてヒンジ部材２１ｃによって蝶番連結されている。これらバンド部材２１ａ、２１ｂは、例えば鋼帯のような金属バンド材又は帯状の細長い金属板から作られる。更に、取付バンド２０の一方のバンド部材２１ａは、その自由端部付近に取付部片２３が設けられていて、この取付部片２３に締着ボルト２２が回動可能に取付けられている。
【００３３】
また、他方のバンド部材２１ｂの自由端部には、スリット２５が形成された連結部片２４が設けられている。
【００３４】
締着ボルト２２は、ねじが切られたねじ部２７を有しており、このねじ部２７の一端に、回動可能に支持されるための支持部となる取付部２８が設けられていて、孔２９が穿けられている（図７）。従って、締着ボルト２２の取付部２８の孔２９を、取付バンド２０のバンド部材２１ａの取付部片２３の孔２３ａに合せて、これら一致した孔２３ａ、２９に取付ピン３０を差し込んで取付けることによって、締着ボルト２２が取付バンド２０のバンド部材２１ａの取付部片２３に回動可能に支持されるようになる。なお、取付ピン３０が取付部片２３から抜け出て外れないように、抜け止めのための適宜な割ピンを取付ピン３０の端部に差し込んで用いるのが好適である。
【００３５】
また、締着ボルト２２のねじ部２７にはナット２６が螺着されていて、電柱Ｐへの支持腕金２又は１２の取付時に、ナット２６を締付けることによって支持腕金２又は１２が、取付バンド２０のバンド部材２１ａを介して電柱Ｐに取付けられるようになる。
【００３６】
更に、取付バンド２０のバンド部材２１ａの自由端部付近に取付けられる取付部片２３は、断面が略コの字形に作られており、例えば金属板材をコの字形に折り曲げたり、或いは適合する大きさの溝形鋼部材を所要の長さに切断する等して形成され、締着ボルト２２を取付けるための孔２３ａが設けられている。このような取付部片２３は、取付バンド２０のバンド部材２１ａの自由端部付近に、例えば溶接して固着されている。
【００３７】
更にまた、取付バンド２０の他方のバンド部材２１ｂの自由端部に設けられた連結部片２４は、取付ボルト３２とナット３３とによってバンド部材２１ｂの端部にしっかりと固着されるように取付けられる。取付ボルト３２には、皿形頭部を有するボルトを用いるのが好適であるが、他の適宜なボルトを使用することも勿論、可能である。
【００３８】
このような連結部片２４は、電柱Ｐの外周に接触する円弧状部２４ａと、この円弧状部２４ａから外方に略真っ直ぐに突出するように延び出た突出部２４ｂとを有しており、金属板材を略円弧状に曲げて電柱Ｐの周面に対応する周面部分を有した円弧状部２４ａを形成すると共に、更に、この円弧状部２４ａの一方の端から外方に略真っ直ぐに突出するように突出部２４ｂを形成しており、この突出部２４ｂにスリット２５を設けている。
【００３９】
なお、このスリット２５の幅は、締着ボルト２２が十分に余裕をもって通ることができるような大きさの寸法であり、締着ボルト２２の直径よりも幾らか大きな幅を有するように形成される。また、連結部片２４は、円弧状部２４ａと突出部２４ｂとスリット２５等とを有するように所要の形状に適宜な金属板材から作るのが好適であり、場合によっては鋳造して作ることもできる。更に、必要に応じては、連結部片２４を取付バンド２０のバンド部材２１ｂに、取付ボルト３２とナット３３で固着する代わりに、溶接して取付けることも可能である。
【００４０】
このような電柱用立上ケーブル支持金物１は、次のようにして電柱Ｐに取付けられる。
【００４１】
最初に、取付バンド２０が、一方のバンド部材２１ａにおいて固着された取付板６が複数組の取付ボルト８によって支持腕金２又は１２に取付けられる。この場合に、先ず、取付板６のフランジ部材６ｂの間に支持腕金２又は１２を抱え込むように取付板６が支持腕金２又は１２に対して装着される。これにより、取付板６の２つのフランジ部材６ｂの間に支持腕金２又は１２が好適に配置されるようになる。
【００４２】
次いで、取付ボルト８が取付板６の取付用の孔６ｃを通って差し込まれて、支持腕金２又は１２の外側に取付ボルト８が延び出るように十分に取付ボルト８が通される。そして、取付座金３５が取付ボルト８に取付けられて、取付座金３５の切欠き３６部分が支持腕金２又は１２の側面に係合される。続いて、ナット９が取付ボルト８に螺着されて、このナット９を締付けることによって、取付バンド２０が設けられている取付板６が支持腕金２又は１２にしっかりと固着されるようになる。
【００４３】
このように、２本宛ての取付ボルト８の間に支持腕金２又は１２が挟まれるように、支持腕金２又は１２が取付板６のフランジ部材６ｂの間に装着され、更に、支持腕金２又は１２を挟んで取付ボルト８が配置され、取付座金３５を取付けて切欠き３６が支持腕金２又は１２に係合されて、ナット９を締付け、これによって支持腕金２又は１２に取付板６がしっかりと取付けられる。
【００４４】
また、このような取付ボルト８は、取付板６と支持腕金２又は１２とを貫通して取付けることもできる。
【００４５】
このように、支持腕金２又は１２に、取付バンド２０が設けられている取付板６が複数組の取付ボルト８とナット９と取付座金３５とによって固着されて取付けられるようになる。
【００４６】
そこで、電柱Ｐに対して支持腕金２又は１２の取付位置において、支持腕金２又は１２が固着された取付板６のバンド部材２１ａの内周面を電柱Ｐの外周面に密着するように接触させ、次いで他方のバンド部材２１ｂをヒンジ部材２１ｃを中心にして回動して電柱Ｐの外周面にバンド部材２１ｂの内周面を接触させる。これによって取付バンド２０を電柱Ｐに当接するように取付けて、取付バンド２０を電柱Ｐに固定するようにすれば、支持腕金２又は１２が取付板６と一緒に取付バンド２０によって電柱Ｐに取付けられるようになる。
【００４７】
この場合に、取付バンド２０は、締付ボルト２２が、連結部片２４から外れている解放状態にあって、取付バンド２０を電柱Ｐの周りに巻き付けるように取付けることができるようになっている。従って、取付バンド２０を電柱Ｐに巻き付けるようにして取付けて、防傾部材７の助けによって取付バンド２０を電柱Ｐの周面に隙間が空かないように好適に密着して取付けることができる。
【００４８】
こうして、取付バンド２０を電柱Ｐに巻き付けるようにして取付けられたならば、締着ボルト２２を取付ピン３０の回りに矢印で示す方向（図４の反時計方向）に回動して、締着ボルト２２を起こすことによって締着ボルト２２をバンド部材２１ｂの連結部片２４のスリット２５内に挿入するようにする。
【００４９】
そして、締着ボルト２２がバンド部材２１ｂの連結部片２４のスリット２５内に十分に挿入されたならば、ナット２６を締め付けるように螺着して、取付バンド２０のバンド部材２１ａ、２１ｂを電柱Ｐの周囲にしっかりと締め付けて動かないように取付ける。これによって、支持腕金２又は１２は、電柱Ｐの所定の位置にしっかりと固着されて取付けられるようになる。
【００５０】
この場合に、ナット２６は締着ボルト２２に対して十分な強さで締め付けることができるので、支持腕金２又は１２は電柱Ｐに対してしっかりと固着されて傾くことのないように取付けられる。
【００５１】
このようにして、電柱Ｐにしっかりと固着された支持腕金２又は１２の横腕金３又は１３、１４に、ケーブルＣの立上部分が、碍子のような適宜な絶縁部材を介して、図１又は図２に示すように好適な状態に取付けられるようになる。しかも、取付バンド２０の電柱Ｐへの取付けは、締着ボルト２２を取付ピン３０の回りに単に回動するだけで、簡単に、且つ迅速に行うことができ、ケーブルＣの立上げ支持も簡素化することができ、電柱Ｐの上部における支持腕金２又は１２の配置状況も好適で、十分な作業空間が得られ、作業もし易く、整然としている。なお、支持腕金２又は１２は、取付板６に予め取付けておいても良く、或いは後で取付けるようにしても良いし、いずれの取付方法でも良いことは勿論である。
【００５２】
また、電柱Ｐから支持腕金２又は１２を取り外す場合には、ナット２６を弛めて締着ボルト２２を取付バンド２０のバンド部材２１ｂの連結部片２４のスリット２５から外すように締着ボルト２２を取付ピン３０の回りに図に矢印で示す時計方向（図３の時計方向）に回動すれば、締着ボルト２２が、バンド部材２１ｂの連結部片２４のスリット２５から外れて解放状態になるので、先ず、取付バンド２０のバンド部材２１ｂをヒンジ部材２１ｃ回りに外方に回動してバンド部材２１ｂを電柱Ｐから離す。
【００５３】
これによって、バンド部材２１ａを支持腕金２又は１２と一緒に電柱Ｐから簡単に、しかも、迅速に取り外すことができる。これによって、一対の半円形バンド部材２１ａ、２１ｂから形成されたワンタッチ構造の取付バンド２０が得られる。
【００５４】
以上の構成により、Ｔ字形やＦ字形の支持腕金２又は１２は、電柱Ｐに対して上方部分に取付バンド２０によってしっかりと傾くこと無く略水平な状態で強固に取付けられ、ケーブルＣを好適に立上支持することができる。この状態で、電柱用立上ケーブル支持金物１、１０は、支持腕金２、１２の横腕金３、１３、１４に、複数の組のケーブルＣの立上部分を、金物を増やさずに好適に支持できるように対応することができると共に、締着ボルト２２を取り外すことなく取付バンド２０をワンタッチで電柱Ｐに取外し、取付けることができるので、取付バンド２０による取付け、取外しも簡単で、支持腕金２、１２の電柱Ｐへの取付け状態も整然として十分な作業空間が電柱Ｐの上部において得られる。しかも、締着ボルト２２の配置位置も電柱Ｐに対して接線に近い位置に取付けられるので、力が真っ直ぐに作用するようにできる。
【００５５】
また、取付バンド２０の電柱Ｐへの取付けに際して、支持腕金２、１２と一緒にバンド部材２１ａを上下方向に幾らかスライドさせることができるので、支持腕金２、１２の取付位置の調整を簡単に行うことができる。
【００５６】
このような取付バンド２０は、簡単に製作することができ、特別な部材や構成を用いずにワンタッチ構造に好適に製作することができる。しかも、この取付バンド２０の取付け、取外しは、締着ボルト２２を電柱Ｐの接線方向に、できる限り近い位置に回動可能に設けて力が真っ直ぐに作用するようにしているので、締着ボルト２２を取り外すことなく単に回動するだけで良く、しかもナット２６を弛めたり、締め付けるだけのワンタッチ操作で済み、取付バンド２０の取付け、取外し操作が簡単で、取付部片２３に対して電柱Ｐの直径の法線上に張力が有効に作用することができる。
【００５７】
また、上述した取付バンド２０は、一対の半円形のバンド部材２１ａ、２１ｂをヒンジ部材２１ｃで蝶番連結して形成する代わりに、１つの細長い帯状の湾曲自在なバンド部材で形成して、連続した１本の細長い形状の取付バンド２０を電柱Ｐに巻き付けるようにして取付けることができる。更に、取付バンド２０の代わりに、縫いボルトと呼ばれる大型の略Ｕ字形の取付ボルトを用いてＴ字形又はＦ字形の立上ケーブル支持金物１、１０を電柱Ｐに取付けることができる。なお、この場合には、立上ケーブル支持金物１、１０の支持腕金２、１２の側部に、横方向に細長い扁平な唇形又は楕円形の一対の孔を穿けて、この孔にＵ字形の取付ボルトの両端の頭部を差し込んで立上ケーブル支持金物１、１０を電柱Ｐに取付けることができ、取付ける電柱Ｐに合せた長さに自在に調整した取付けが可能である。
【００５８】
以上、本発明を図示の実施例について説明したが、本発明はこれら実施例に限定されず、例えば、電柱用立上ケーブル支持金物の形態は、種々の変更や変形がなし得るものである。また、取付バンドも、本発明の支持金物との組み合わせに限らず、従来の支持金物であっても、これを迅速且つ容易に電柱に取付け或いは電柱から取外すことができるものである。
【図面の簡単な説明】
【００５９】
【図１】電柱用立上ケーブル支持金物の第１の実施例を示す平面図である。
【図２】電柱用立上ケーブル支持金物の第２の実施例を示す平面図である。
【図３】電柱に取付けられた電柱用立上ケーブル支持金物を示す平面図である。
【図４】電柱用立上ケーブル支持金物の取付バンドを解放状態で示す図で、（Ａ）は取付バンドの平断面図、（Ｂ）は一方のバンド部材の自由端部の側面図、（Ｃ）は他方のバンド部材の自由端部の側面図である。
【図５】支持腕金を取付バンドによって電柱に取付ける時の取付板と取付座金とを示す正面図である。
【図６】図５の状態の側面図である。
【図７】図４の取付バンドの締着ボルトを示す平面図である。
【符号の説明】
【００６０】
１，１０…電柱用立上ケーブル支持金物、２，１２…支持腕金、３，１３，１４…横腕金、６…取付板、６ａ…板状部材、６ｂ…フランジ部材、６ｃ…孔、７…防傾部材、８，３２…取付ボルト、９，３３…ナット、２０…取付バンド、２１ａ，２１ｂ…バンド部材、２１ｃ…ヒンジ部材、２２…締着ボルト、２３…取付部片、２４…連結部片、２４ａ…円弧状部、２４ｂ…突出部、２５…スリット、２６…ナット、２７…ねじ部、２８…取付部、２９…孔、３０…取付ピン、３５…取付座金、３６…切欠き、Ｃ…ケーブル、Ｐ…電柱。
【図１】
2007060769.tif 000003
【図２】
2007060769.tif 000004
【図３】
2007060769.tif 000005
【図４】
2007060769.tif 000006
【図５】
2007060769.tif 000007
【図６】
2007060769.tif 000008
【図７】
2007060769.tif 000009